(57)【要約】【課題】  按摩機能付クレードルの提供。【解決手段】  クレードル本体の上部に二つの挟持片が設けられて携帯電話、ＰＤＡ等の電子製品の挟持固定に供され、該クレードル本体の前端に略楕円形の柱体が設けられ、内部に一組の振動モータが設けられ、前端に別に円弧面の按摩カバーが結合されて部品がその内部に内蔵され、該クレードル本体の内部に別に電池セットとスイッチが設けられ、該振動モータの運転を駆動及び制御し、これによりクレードルの基本の挟持機能を有するほか、振動モータの発生する振動に按摩カバーが組み合わされて、身体の凝りや痛みを有する部分に接触させられることで、按摩の目的を達成できるものとされている。【選択図】        図１
0003107896.tif 000002
【実用新案登録請求の範囲】
【請求項１】
按摩機能付クレードルにおいて、クレードル本体、振動モータ、電池セット、スイッチを具え、
該クレードル本体は少なくとも一つの挟持片が移動可能とされた二つの挟持片を上部に具え、
該振動モータは該クレードル本体の前端の内部に設置され、該前端に円弧面を具えた按摩カバーが設けられて部品が内蔵され、該振動モータの回転軸に偏心方式でウエイトが結合され、
該電池セットは該クレードル本体の内部に設置され、振動モータの運転に必要な電力を提供し、
該スイッチはクレードル本体の一側に設けられて該振動モータのオンオフを制御することを特徴とする、按摩機能付クレードル。
【請求項２】
請求項１記載の按摩機能付クレードルにおいて、クレードル本体の後端に照明装置が設けられたことを特徴とする、按摩機能付クレードル。
【請求項３】
請求項２記載の按摩機能付クレードルにおいて、照明装置がクレードル本体後端に設置されたレンズとクレードル本体の内部に設置された発光ダイオードを具えたことを特徴とする、按摩機能付クレードル。
【請求項４】
請求項１記載の按摩機能付クレードルにおいて、振動モータの回転軸前端にウエイトが結合され、該ウエイトの一つの角部の重量が該ウエイトの他の部分より重く設けられたことを特徴とする、按摩機能付クレードル。
【請求項５】
請求項１記載の按摩機能付クレードルにおいて、クレードル本体が上ケースと下ケースを突き合わせて接合してなり、前端に楕円形の凸体が形成され、内部の上ケースと下ケースの前後に固定片が形成され、前後の固定片に大きさの異なる半円形の切欠きが設けられて振動モータの前端及び後端を係止することを特徴とする、按摩機能付クレードル。
【請求項６】
請求項１記載の按摩機能付クレードルにおいて、電池セットがクレードル本体の背部に設置され、該電池セットは複数の電池を具え、クレードル本体背部に電池室と電池カバーが設けられて電池セットが電池室内部に収容されることを特徴とする、按摩機能付クレードル。
【考案の詳細な説明】
【技術分野】
【０００１】
本考案は電子製品の挟持に用いられるクレードルの技術領域に係り、特に電子装置の挟持固定と按摩機能を具えた按摩機能付クレードルに関する。
【背景技術】
【０００２】
現在、各種の電子製品には軽量化、薄型化、コンパクト化が追求され、無線通信技術の発展も加わり、携帯式通信製品が続々と出現している。便利性の面で、携帯電話及びＰＤＡがその代表的なものであり、ＰＤＡは単純なメモに限らず、衛星位置決めナビゲーション等の機能を有し、このような製品を車内で使用する場合は、通常、クレードルがその製品を固定するのに用いられる。
【０００３】
忙しい生活にあって、人々は長時間オフィスに座ることが多く、運動が少なく、身体に凝りや痛みを発生することがよくあるが、適切な按摩は緊張した神経をほぐし、身体をリラックスさせる。このため各種のマッサージチェア、マッサージャーが不断に開発、提供されているが、このような製品は構造が複雑で、体積が大きく、単価が高い。
【考案の開示】
【考案が解決しようとする課題】
【０００４】
本考案はクレードル内部に簡便な按摩構造を設計し、クレードルのほとんどが車内或いは室内に放置されて消費者の座る場所と相互に対応することを利用し、消費者に凝りや痛みが発生した際に便利に使用できるようにする。
【０００５】
本考案の主要な目的は、按摩機能付クレードルを提供することにあり、それは使用者が車内で携帯電話やＰＤＡ等の電子製品を挟持するのに用いられるほか、一側のスイッチが起動されることで、クレードル本体前端が振動を発生し、使用者の身体の凝りや痛みを発生した位置に接触させることで按摩効果を達成できるものとする。
【０００６】
本考案の次の目的は、照明機能を具えたクレードルを提供することにあり、それは、底部の一端に一組の照明装置が設けられ、使用者が車内の簡便な照明として使用でき、また取り外して懐中電灯として使用することができるものとする。
【０００７】
上述の目的を達成するため、本考案によると、クレードル本体の上部に二つの挟持片が設けられ、該挟持片は被挟持物の幅に合わせて二つの挟持片間の距離を調整可能とされ、クレードル本体の前端は略楕円形柱体とされ、内部に振動モータが設けられ、前端に並びに半円球状円弧面を呈する按摩カバーが設けられ、部品がその内部に内蔵され、クレードル本体内部に別に電池セットとスイッチが設けられて振動モータの運転の駆動と制御に用いられ、該クレードル本体の後端に照明装置が設けられ、これにより本考案のクレードルは挟持固定機能、按摩機能、及び照明機能を具備するものとされる。
【課題を解決するための手段】
【０００８】
請求項１の考案は、按摩機能付クレードルにおいて、クレードル本体、振動モータ、電池セット、スイッチを具え、
該クレードル本体は少なくとも一つの挟持片が移動可能とされた二つの挟持片を上部に具え、
該振動モータは該クレードル本体の前端の内部に設置され、該前端に円弧面を具えた按摩カバーが設けられて部品が内蔵され、該振動モータの回転軸に偏心方式でウエイトが結合され、
該電池セットは該クレードル本体の内部に設置され、振動モータの運転に必要な電力を提供し、
該スイッチはクレードル本体の一側に設けられて該振動モータのオンオフを制御することを特徴とする、按摩機能付クレードルとしている。
請求項２の考案は、請求項１記載の按摩機能付クレードルにおいて、クレードル本体の後端に照明装置が設けられたことを特徴とする、按摩機能付クレードルとしている。
請求項３の考案は、請求項２記載の按摩機能付クレードルにおいて、照明装置がクレードル本体後端に設置されたレンズとクレードル本体の内部に設置された発光ダイオードを具えたことを特徴とする、按摩機能付クレードルとしている。
請求項４の考案は、請求項１記載の按摩機能付クレードルにおいて、振動モータの回転軸前端にウエイトが結合され、該ウエイトの一つの角部の重量が該ウエイトの他の部分より重く設けられたことを特徴とする、按摩機能付クレードルとしている。
請求項５の考案は、請求項１記載の按摩機能付クレードルにおいて、クレードル本体が上ケースと下ケースを突き合わせて接合してなり、前端に楕円形の凸体が形成され、内部の上ケースと下ケースの前後に固定片が形成され、前後の固定片に大きさの異なる半円形の切欠きが設けられて振動モータの前端及び後端を係止することを特徴とする、按摩機能付クレードルとしている。
請求項６の考案は、請求項１記載の按摩機能付クレードルにおいて、電池セットがクレードル本体の背部に設置され、該電池セットは複数の電池を具え、クレードル本体背部に電池室と電池カバーが設けられて電池セットが電池室内部に収容されることを特徴とする、按摩機能付クレードルとしている。
【考案の効果】
【０００９】
本考案はクレードルの内部に振動モータが増設され、クレードルが電子装置の挟持固定以外に按摩機能を具備するものとされ、クレードル本体が略楕円形を呈して按摩時に握りやすく、更にクレードル本体底部に形成された照明装置により車内使用時に簡単な照明とすることができ、また取り外して懐中電灯としても使用でき、クレードルが多機能を有する製品とされている。
【００１０】
以下の実施例は本考案の範囲を限定するものではなく、以下の実施例に基づきなしうる細部の修飾或いは改変は、いずれも本考案の請求範囲に属するものとする。
【考案を実施するための最良の形態】
【００１１】
図１に示されるように、本考案の按摩機能付クレードルは、クレードル本体１の上部に二つの挟持片１１、１２が設けられ、本実施例中、二つの挟持片１１、１２は同期移動式とされ（図２参照）、異なるサイズの携帯電話或いはＰＤＡの挟持に供される。クレードル本体１内部には連動構造が設けられ、ボタン１３を押せば、上述の二つの挟持片１１、１２を外向きに移動させることができ、挟持時には二つの挟持片１１、１２を中心に向けて押動して内部に自動ロックび挟持の目的を達成さることができる。この部分の構造は周知の技術と相似であるため詳しい説明は省略する。このほか、クレードル本体１には片側移動の挟持方式を採用可能で、即ち一方の挟持片のみが移動可能とされ、もう一方の挟持片が固定され不動とされた構造も可能である。
【００１２】
図３に示されるように、本考案によると、クレードル本体１の前端に特殊な構造が増設され、本製品が按摩に使用可能とされている。該クレードル本体１は上ケース１４、下ケース１５が突き合わされて螺子止めされてなり、内部に形成される空間に関係部品が内蔵される。該クレードル本体１の前端には楕円形凸体が形成され、内部に振動モータ２が設けられ、その固定方式は以下のとおりである。下ケース１５の内部前後に固定片１５１、１５２が形成され、該固定片１５１、１５２に大きさの異なる半円形の切欠き１５３、１５４が設けられ、組付け時に振動モータ２の前端２１及び後端２２を係止し、上ケース１４内部にも同じ固定片構造が設けられ（図示せず）、この上ケース１４、下ケース１５の結合固定と同時に振動モータ２が内部に固定される。このほか、該クレードル本体１の最前端に按摩カバー１６が設けられ、その形状は略半円球形とされ、一方で振動モータ２等の部品を完全に内部に内蔵し、もう一方で按摩カバー１６の滑らかな表面が身体との接触に供され、振動モータ２起動時に発生する振動により按摩の目的を達成する。このほか、按摩カバー１６の材質はクレードル本体１と同じ材質のプラスチックとされるか或いは柔軟なゴムとされ、按摩時の快適性を増すものとされる。
【００１３】
本考案の振動モータ２主体は電動モータとされ、その回転軸２３の前端のウエイト２４が結合され、但しその結合位置は非中心位置とされて偏心方式で結合され、これによりモータ回転時に振動が発生する。或いは結合位置が中心点とされて、ウエイト全体の重量分布が不均一とされ、そのうち一つの角部分の重量が他より重くされても運転時に振動を発生することができる。
【００１４】
振動モータ２の運転には電力が必要であり、図４に示されるように、本考案のクレードル本体１の背面には電池セット３が設けられ、それは複数の電池を具え、クレードル本体１の背部に電池室１７及び電池カバー１８が設けられ、使用者が適時に電池を交換でき、該電池室１７の両側に案内溝１７１が設けられ、電池カバー１８の両側に突出するスライド片１８１が設けられ、両者が係合可能とされている。電池カバー１８には特殊形状の凹溝１８２が設けられ、その他の部品が組み合わされてクレードルを車内に簡単に固定できる。クレードル本体１の一側にはスイッチ１９が設けられ（図３）、内部に設けられた電線と電池セット３及び振動モータ２に接続され、その起動のタイミングを制御する。
【００１５】
更に図５に示されるように、使用に便利とするため、本考案のクレードル本体１の後端には別に照明装置４が設けられ、それは透明で集光機能を有するレンズ４１及び内部に設置された発光ダイオード４２を具え、必要な電力は電池セット３により供給され、スイッチ１９によりそのオンオフが制御される。該レンズ４１の固定方式は、下ケース１５の後端に係止溝１５５が形成され、その幅がレンズ４１底部のエッジ４１１の厚さに対応するものとされ、上ケース１４内部にも同じ構造が設けられ、上ケース１４と下ケース１５の接合時に、レンズ４１の位置が固定される。
【図面の簡単な説明】
【００１６】
【図１】本考案の立体図である。
【図２】本考案の挟持片が展開された時の立体図である。
【図３】本考案のクレードル本体前端の立体分解図である。
【図４】本考案の別角度の立体図である。
【図５】本考案のクレードル本体の後端構造の断面図である。
【符号の説明】
【００１７】
１  クレードル本体          １２  挟持片
１１  挟持片                １３  ボタン
１４  上ケース              １５  下ケース
１５１  固定片              １５２  固定片
１４２  切欠き              １５４  切欠き
１５５  係止溝
１６  按摩カバー            １７  電池室
１７１  案内溝              １７２  凹溝
１８  電池カバー            １８１  スライド片
１９  スイッチ
２  振動モータ
２１  前端                  ２２  後端
２３  回転軸                ２４  ウエイト
３  電池セット
４  照明装置
４１  レンズ                ４１１  エッジ
４２  発光ダイオード
【図１】
0003107896.tif 000003
【図２】
0003107896.tif 000004
【図３】
0003107896.tif 000005
【図４】
0003107896.tif 000006
【図５】
0003107896.tif 000007